(57)【特許請求の範囲】
【請求項１】
自動車のウィンドウォッシャに固定される加熱可能なウィンドウォッシャノズルであって、導電性の線材又は線材織布を介して加熱可能な噴射水ホース（１９）を接続するための接続管片（２）と、ワイパアーム（４）にケーシング（１）を差し嵌めるためのクランプ装置（３）と、ノズル体（６）を収容するための室（５）と、ノズル体（６）の上側に位置決め可能でかつ噴射水道管（２１）の加熱線材（２２）を介して加熱可能な加熱エレメント（７）と、室（５）を閉鎖するためのカバー（８）とから成っており、ノズル体（６）が扁平なチップとして形成されていて、該ノズル体（６）において複数の通路トラフ（２６）が、接続管片（２）に接続されている中央の水貫流開口（２５）から、扇状に外方に向かって案内されている形式のものにおいて、加熱エレメント（７）が、ノズル体（６）の直ぐ上に配置されていてチップ面を完全に覆う加熱プレート（２８）と、該加熱プレート（２８）のプレート縁部（３２）に一体成形されたウェブ（２９）とを有しており、該ウェブ（２９）が、接続管片（２）内に突入しており、接続管片（２）に加熱可能な噴射水ホース（１９）が差し嵌められた状態において、加熱線材（２２）の電気的に橋絡された端部（２３）が、接触することなしに、加熱エレメント（７）のウェブ（２９）の上方に延在していることを特徴とする、加熱可能なウィンドウォッシャノズル。
【請求項２】
ウェブ（２９）が、接続管片（２）の外周壁（３０）内に設けられた溝（３１）に埋め込まれている、請求項１記載のウィンドウォッシャノズル。
【請求項３】
ウェブ（２９）が外周壁（３０）と同一平面を成している、請求項２記載のウィンドウォッシャノズル。
【請求項４】
外方に向かって開放した通路トラフ（２６）が、加熱プレート（２８）によって防水作用を伴って密閉されている、請求項１から３までのいずれか１項記載のウィンドウォッシャノズル。
【発明の詳細な説明】
【０００１】
本発明は、請求項１の上位概念部に記載された形式の、自動車のウィンドウォッシャに固定される加熱可能なウィンドウォッシャノズルである。
【０００２】
このようなウィンドウォッシャノズルは例えばドイツ連邦共和国特許公開第１９８３３１４２号明細書に基づいて公知である。ノズルケーシングは例えばクランプ装置を用いてワイパアームに固定され、さらに加熱可能な噴射水ホースのための接続管片を有しており、この場合加熱線材は水導管に沿ってホース周壁に埋め込まれている、つまり埋込み成形されている。加熱エレメントはケーシング内において、噴射ノズルの上における別体の室内に位置しており、かつホースから突出している加熱ノズル端部と、直接的な差込みコンタクトによって結合される。その後で、高く上げられたフラップが加熱エレメントの上方に下方旋回させられ、ケーシング縁部に係止される。
【０００３】
このウォシャノズルにおける配置形式の目的は、加熱エレメントを可能な限りウォシャノズルに接近させることであり、これによって、噴射液の可能な限り良好な加熱をウォシャノズルの内部にまで到達させることができ、ひいては噴射水を氷点下の外気温においても液状に保つことができるようになっている。しかしながら加熱エレメントは差込みコンタクトを介して加熱線材と接続されているので、ノズルを備えた噴射水を案内する通路は、差込みコンタクトを備えた加熱エレメントから、ケーシング内において中間壁によって隔てられねばならず、これによって加熱エレメントの熱は部分的にしか、つまり弱められてしか、噴射水に与えられない。また差込みコンタクトを介して電気的な接続部を形成することは幾分面倒である。それというのは、そのために２つの加熱線材をまず初めにホース端部から外に案内し、次いでコネクタとろう接しなくてはならないからである。
【０００４】
ゆえに本発明の課題は、加熱線材から加熱エレメントへの熱伝達を簡単化し、ノズル内における噴射水への熱の供給を改善することである。
【０００５】
この課題を解決するために本発明の構成では、加熱エレメントが、ノズル体の直ぐ上に配置されていてチップ面を完全に覆う加熱プレートと、該加熱プレートのプレート縁部に一体成形されたウェブとを有しており、該ウェブが、接続管片内に突入しており、接続管片に加熱可能な噴射水ホースが差し嵌められた状態において、加熱線材の電気的に橋絡された端部が、接触することなしに、加熱エレメントのウェブの上方に延在しているようにした。
【０００６】
このように構成されていると、加熱線材によって該加熱線材において生じた熱を、ウェブとの直接的な接触なしに、加熱プレートに伝達することができ、さたに加熱された加熱プレートはその熱を直接、噴射水に、通路トラフの端部に到るまで与えることができ、その結果噴射水の最適な加熱が保証される。
【０００７】
本発明の別の有利な構成は、請求項２以下に記載されている。
【０００８】
次に図面を参照しながら本発明の実施例を説明する。
【０００９】
図１は、加熱可能なウィンドウォッシャノズルを個々の部材に分解して示す斜視図である。
【００１０】
図２は、組み立てられた状態におけるウィンドウォッシャノズルを示す斜視図である。
【００１１】
図３は、ワイパアームに取り付けられたウォッシャノズルが、ウィンドに噴射水を吹き付けている様子を示す斜視図である。
【００１２】
図４は、組み立てられた状態におけるウィンドウォッシャノズルを、接続管片に差し込まれた噴射水ホースを通る平面で断面して示す側面図である。
【００１３】
図５は、組み立てられた状態におけるウィンドウォッシャノズルにおいて、図４のＶ−Ｖ線に沿って断面してウォッシャノズルケーシングを示す上から見た平面図である。
【００１４】
図６は、組み立てられた状態におけるウィンドウォッシャノズルにおいて、図４のＶＩ−ＶＩ線に沿って断面して接続管片を示す正面図である。
【００１５】
図面に示されたウィンドウォッシャノズルは、ケーシング１を有しており、このケーシング１は該ケーシング１の側部に一体成形された接続管片２と、同様に一体成形されたクランプ装置３とを備えており、このクランプ装置３は、自動車用のウィンドウォッシャのワイパアームにケーシング１を差し嵌めるために働く。ケーシング１は、ノズル体６及び加熱エレメント７を挿入するために上方に向かって開放した室５を有している。この室５はカバー８によって閉鎖され、このカバー８は、互いに向かい合って位置していて側部に一体成形された２つの側壁９と一体的に結合されている。弾性的に弾発可能な両側壁９の自由端部には、先端１０が互いに向かって延びている係止縁部１１が設けられており、両係止縁部１１はカバー８の押し嵌め後に、ほぼ直角に突出している係止面１２で、下側のケーシング縁部１３に下から係合し、かつこれによって室５を閉鎖状態に保つ（図２参照）。
【００１６】
ケーシング１に一体成形されたクランプ装置３は、弾発可能な２つのクランプ脚１４を有しており、両クランプ脚１４は、その自由端部に一体成形されていて互いに向かって延びる係止縁部１５を備えている。両クランプ脚１４は互いの間隔及び係止縁部１５の位置を、ワイパアーム４の横断面に合わせられていて、かつケーシング１に次のように一体成形されており、この場合接続管片２がワイパアーム４へのクランプ脚１４の差し嵌め後に、ワイパアーム４に対してほぼ平行に向けられていて、かつ適宜な固定手段によって軸方向において固定されるようになっている。
【００１７】
接続管片２は、ノズルケーシング１の室５に噴射水を供給するために働き、かつそのために中央の貫通孔１６を備えており、この貫通孔１６は室５の底部１７のところで開口している。円筒形の接続管片２は、その自由端部に、円錐形に先細の導入壁１８を有しており、この導入壁１８には弾性的に拡張可能な水ホース１９が差し嵌められる。水ホース１９のホース周壁２０内には、水導管２１に沿って電気的に加熱可能な線材２２が埋込み成形されており、これらの線材２２の端部２３はホース端部２４の直前で橋絡されている（図４及び図５参照）。加熱線材２２の代わりに噴射水ホース１９内に、該ホース１９を同様にその全長にわたって加熱する電気的な線材メッシュもしくは線材織布を埋込み成形することも可能である。
【００１８】
ノズル体６は有利には扁平なチップとして形成されていて、噴射水のための中央の貫流開口２５を備えており、この貫流開口２５は、接続管片２の貫通孔１６と接続されている。チップの、室５から突出している半円形の前面には、複数の通路トラフ２６が扇状に外方に向かって案内されており、これらの通路トラフ２６は中央の広幅のトラフ２７を介して貫流開口２５と接続されている（図５参照）。通路トラフ２６を通って噴射水はノズル体６から流出し、ウィンド３４にいわゆるマイクロ噴流３３を吹き付ける（図３参照）。
【００１９】
ノズル体６の上側面は、組立て後に加熱プレート２８によって完全に覆われ、かつこの加熱プレート２８によって防水作用をもって密閉される。加熱プレート２８の縁部には細いウェブ２９が一体成形されており、このウェブ２９は組み立てられた状態において接続管片２の中にまで達する。ウェブ２９を受容するために接続管片２の外周壁３０には溝３１が設けられている。ウェブ２９の厚さは有利には、ウェブ２９の表面が外周壁３０の表面と一平面を成すように、寸法設定されている（図６参照）。
【００２０】
噴射水ホース１９の接続時に端部２４は、加熱線材２２の一緒に案内される両端部２３が互いに接触することなしに加熱プレート２８のウェブ２９に対して平行に延びるように、接続管片２に差し嵌められる。加熱線材２２によって生ぜしめられた熱はこれによって、氷点下の温度においても、ホース１９内においてホース長さ全体にわたって、噴射水の凍結を防止するのみならず、十分な熱をウェブ２９を介して加熱プレート２８に与えるのにも十分であり、その結果噴射水の凍結は、通路トラフ２６の端部に到るまで防止されることになる。
【図面の簡単な説明】
【図１】  加熱可能なウィンドウォッシャノズルを個々の部材に分解して示す斜視図である。
【図２】  組み立てられた状態におけるウィンドウォッシャノズルを示す斜視図である。
【図３】  ワイパアームに取り付けられたウォッシャノズルが、ウィンドに噴射水を吹き付けている様子を示す斜視図である。
【図４】  組み立てられた状態におけるウィンドウォッシャノズルを、接続管片に差し込まれた噴射水ホースを通る平面で断面して示す側面図である。
【図５】  組み立てられた状態におけるウィンドウォッシャノズルにおいて、図４のＶ−Ｖ線に沿って断面してウォッシャノズルケーシングを示す上から見た平面図である。
【図６】  組み立てられた状態におけるウィンドウォッシャノズルにおいて、図４のＶＩ−ＶＩ線に沿って断面して接続管片を示す正面図である。
【符号の説明】
１  ケーシング、  ２  接続管片、  ３  クランプ装置、  ４  ワイパアーム、  ５  室、  ６  ノズル体、  ７  加熱エレメント、  ８  カバー、  ９  側壁、  １０  先端、  １１  係止縁部、  １２  係止面、  １３  ケーシング縁部、  １４  クランプ脚、  １５  係止縁部、  １６  貫通孔、  １７  底部、  １８  導入壁、  １９  噴射水ホース、  ２０  ホース周壁、  ２１  水導管、  ２２  線材、  ２３  端部、  ２４  ホース端部、  ２５  貫流開口、  ２６  通路トラフ、  ２８  加熱プレート、  ２９  ウェブ、  ３０  外周壁、  ３１  溝  、  ３２  プレート縁部、  ３３  マイクロ噴流、  ３４  ウィンド
【図１】
0003715964.tif 000002
【図２】
0003715964.tif 000003
【図３】
0003715964.tif 000004
【図４】
0003715964.tif 000005
【図５】
0003715964.tif 000006
【図６】
0003715964.tif 000007